(57)【特許請求の範囲】
【請求項１】
フェンダパネルの内側の端部を衝撃吸収ブラケットを介してエプロンアッパメンバに取付ける場合に適用される車両用フェンダパネル取付構造であって、
前記衝撃吸収ブラケットは、
フェンダパネルの内側の端部が固定されるフェンダ取付部と、
エプロンアッパメンバに固定される取付脚部と、
車体への組付状態で車両前後方向に離間して一対配置され、フェンダ取付部と取付脚部とを車両上下方向に繋ぐと共に上方からの荷重作用時に潰れる方向へ変形可能な中間支持部と、
を有し、車両側面視でハット形状を成しており、
さらに、中間支持部の下部側には、前記中間支持部と前記取付脚部とに跨って一体に形成され、中間支持部の車両下方側への変形ストロークを制限するビードが設けられており、
前記中間支持部の上部側を構成する中間支持上部は車両側面視でハの字状に形成されると共に、前記中間支持部の下部側を構成する中間支持下部は車両側面視で逆ハの字状に形成されており、当該中間支持下部の高さは当該中間支持上部の高さよりも前記ビードの高さ分だけ高く設定されている、
ことを特徴とする車両用フェンダパネル取付構造。
【請求項２】
フェンダパネルの内側の端部を衝撃吸収ブラケットを介してエプロンアッパメンバに取付ける場合に適用される車両用フェンダパネル取付構造であって、
前記衝撃吸収ブラケットは、
フェンダパネルの内側の端部が固定されるフェンダ取付部と、
エプロンアッパメンバに固定される取付脚部と、
車体への組付状態で車両前後方向に離間して一対配置され、フェンダ取付部と取付脚部とを車両上下方向に繋ぐと共に上方からの荷重作用時に潰れる方向へ変形可能な中間支持部と、
を有し、車両側面視でハット形状を成しており、
前記中間支持部の上部側を構成する中間支持上部は車両側面視でハの字状に形成されると共に、前記中間支持部の中間部側を構成する中間支持中央部は車両側面視で逆ハの字状に形成されており、さらに前記中間支持部の下部側を構成する中間支持下部は車両側面視でハの字状に形成されており、
前記中間支持下部と前記取付脚部とに跨ってビードが一体に形成されていると共に前記中間支持下部及び前記取付脚部の片側の側縁には折り曲げによる補強フランジが形成されており、さらに中間支持下部の反対側の側縁同士は各側縁から延出された帯状のフランジによって相互に連結されている、
ことを特徴とする車両用フェンダパネル取付構造。
【発明の詳細な説明】
【技術分野】
【０００１】
本発明は、車両用フェンダパネル取付構造に関する。
【背景技術】
【０００２】
下記特許文献１には、歩行者保護性能を向上させるべく、フェンダパネルの内側の端末部を側面視でハの字状に形成された複数の衝撃吸収ブラケットを介してフェンダシールドパネル（エプロンアッパメンバ）の上端水平部に支持させる構造が開示されている。
【特許文献１】特開２００２−１７８９５３号公報
【発明の開示】
【発明が解決しようとする課題】
【０００３】
しかしながら、上記先行技術による場合、衝撃吸収ブラケットが配設されていない構造と比べて歩行者保護性能を向上させることができるものの、フェンダパネルの建て付け剛性が低下する可能性がある。
【０００４】
すなわち、フェンダパネルの端末部をエプロンアッパメンバ取付ける場合、他部品（フードアウタパネル等）との寸法の取り合いや意匠外観品質の維持等の観点から、建て付け剛性を高くして寸法精度を出したいという要請がある。その一方で、上記のような歩行者保護性能を考慮すると、衝撃吸収ブラケットを介在させて衝突体から所定値以上の衝突荷重が入力されたら、衝撃吸収ブラケットを座屈させてエネルギー吸収させると共に底付き荷重の発生を抑える必要が出てくる。
【０００５】
しかしながら、フェンダパネルの成形時の金型の制約やプラットホームの共用化といった生産上の理由等から、上記衝撃吸収ブラケットの高さを必要以上に高くせざるを得ない場合も考えられる。この場合に、衝撃吸収ブラケットの高さを必要以上に高くすると、車両前後方向のモーメントが大きくなるので、上述した建て付け剛性の確保が難しくなる。上記を背景として、フェンダパネルの建て付け剛性の確保と歩行者保護性能の確保とを両立させることが従来よりも一層厳しくなってきた。
【０００６】
本発明は上記事実を考慮し、フェンダパネルの端部とその取付相手となるエプロンアッパメンバとの距離が長くなる場合においても、フェンダパネルの建て付け剛性の確保と歩行者保護性能の確保とを両立させることができる車両用フェンダパネル取付構造を得ることが目的である。
【課題を解決するための手段】
【０００７】
請求項１の発明に係る車両用フェンダパネル取付構造は、フェンダパネルの内側の端部を衝撃吸収ブラケットを介してエプロンアッパメンバに取付ける場合に適用される車両用フェンダパネル取付構造であって、前記衝撃吸収ブラケットは、フェンダパネルの内側の端部が固定されるフェンダ取付部と、エプロンアッパメンバに固定される取付脚部と、車体への組付状態で車両前後方向に離間して一対配置され、フェンダ取付部と取付脚部とを車両上下方向に繋ぐと共に上方からの荷重作用時に潰れる方向へ変形可能な中間支持部と、を有し、車両側面視でハット形状を成しており、さらに、中間支持部の下部側には、前記中間支持部と前記取付脚部とに跨って一体に形成され、中間支持部の車両下方側への変形ストロークを制限するビードが設けられており、前記中間支持部の上部側を構成する中間支持上部は車両側面視でハの字状に形成されると共に、前記中間支持部の下部側を構成する中間支持下部は車両側面視で逆ハの字状に形成されており、当該中間支持下部の高さは当該中間支持上部の高さよりも前記ビードの高さ分だけ高く設定されている、ことを特徴とする。
【０００９】
請求項２の発明に係る車両用フェンダパネル取付構造は、フェンダパネルの内側の端部を衝撃吸収ブラケットを介してエプロンアッパメンバに取付ける場合に適用される車両用フェンダパネル取付構造であって、前記衝撃吸収ブラケットは、フェンダパネルの内側の端部が固定されるフェンダ取付部と、エプロンアッパメンバに固定される取付脚部と、車体への組付状態で車両前後方向に離間して一対配置され、フェンダ取付部と取付脚部とを車両上下方向に繋ぐと共に上方からの荷重作用時に潰れる方向へ変形可能な中間支持部と、を有し、車両側面視でハット形状を成しており、前記中間支持部の上部側を構成する中間支持上部は車両側面視でハの字状に形成されると共に、前記中間支持部の中間部側を構成する中間支持中央部は車両側面視で逆ハの字状に形成されており、さらに前記中間支持部の下部側を構成する中間支持下部は車両側面視でハの字状に形成されており、前記中間支持下部と前記取付脚部とに跨ってビードが一体に形成されていると共に前記中間支持下部及び前記取付脚部の片側の側縁には折り曲げによる補強フランジが形成されており、さらに中間支持下部の反対側の側縁同士は各側縁から延出された帯状のフランジによって相互に連結されている、ことを特徴とする。
【００１０】
請求項１記載の本発明によれば、フェンダパネルの内側の端部は、車両側面視でハット形状を成す衝撃吸収ブラケットを介してエプロンアッパメンバに取り付けられている。具体的には、フェンダパネルの内側の端部が衝撃吸収ブラケットのフェンダ取付部に固定されると共に、衝撃吸収ブラケットの取付脚部がエプロンアッパメンバに固定される。これにより、衝撃吸収ブラケットの中間支持部がフェンダパネルの内側の端部とエプロンアッパメンバとの間の車両上下方向の隙間に配置されて、フェンダパネルの内側の端部がエプロンアッパメンバに支持される。また、衝撃吸収ブラケットの中間支持部は、車体への組付状態で車両前後方向に離間して一対配置されている。この状態で、衝突体が上方側からフェンダパネルの内側の端部付近に衝突してくると、衝突荷重が衝撃吸収ブラケットに入力される。このため、一対の中間支持部は荷重作用方向へ潰される過程で互いに離間する方向へ変位しようとする。また、その際の衝突荷重によって中間支持部が荷重作用方向へ潰れて（変形して）所定のエネルギー吸収を行う。具体的には、中間支持部の上部側を構成する中間支持上部は車両側面視でハの字状に形成されると共に、中間支持部の下部側を構成する中間支持下部は車両側面視で逆ハの字状に形成されており、当該中間支持下部の高さは当該中間支持上部の高さよりもビードの高さ分だけ高く設定されている。このため、衝撃荷重によって中間支持部が潰れる際は、中間支持上部が中間支持下部に重なるように潰れる。上記により、フェンダパネルの建て付け剛性と歩行者保護性能の両方が確保される。
【００１１】
ここで、種々の理由（例えば、フェンダパネルの成形時の金型の制約やプラットホームの共用化といった生産上の理由）から、フェンダパネルの内側の端部とエプロンアッパメンバ（に対する衝撃吸収ブラケットの取付面）との距離が長くなる場合がある。
【００１２】
この場合、本発明では、中間支持部の下部側に中間支持部の車両下方側への変形ストロークを制限する制限手段を設けたので、本発明の衝撃吸収ブラケットを用いた場合には、衝突荷重が入力されて中間支持部が潰れ方向に変形したとしても、制限手段が存在するために予め決められた変形ストロークを超えて中間支持部が車両下方側へ変形することはない。換言すれば、制限手段に起因して、衝突荷重が作用しても荷重作用方向に殆ど変形しない中間支持部の下部側部分は、衝撃吸収ブラケットの建て付け剛性寄与分として残される。従って、必要以上に嵩だかとなった部分についてはフェンダパネルの建て付け剛性を上げる作用を有する。また、衝撃吸収のために必要な変形ストロークはそのまま確保される。このように本発明では、衝撃吸収ブラケットを嵩だかにせざるを得ない場合においても、フェンダパネルの建て付け剛性の確保と歩行者保護性能の確保という二律背反事項を両立させることができる。
【００１３】
また、本発明によれば、中間支持部と取付脚部とに跨って一体に形成されるビードによって制限手段を構成したので、部品点数が増加せず、また歩留まりも良い。
【００１５】
請求項２記載の本発明では、中間支持下部と取付脚部とに跨ってビードが一体に形成されていると共に、中間支持下部及び取付脚部の片側の側縁には折り曲げによる補強フランジが形成されている。さらに、中間支持下部の反対側の側縁同士は各側縁から延出された帯状のフランジによって相互に連結されており、これにより一対の中間支持下部同士の開きが制限又は抑制される。このように一対の中間支持下部同士の開きを制限又は抑制するような帯状のフランジを付加することによっても、嵩だかな衝撃吸収ブラケットを用いた場合におけるフェンダパネルの建て付け剛性の確保と歩行者保護性能の確保の両立を図ることが可能である。
【００１６】
さらに、この発明の場合、連結手段によって予め一対の中間支持部を開かないように互いに連結しておくことで、車体に取り付ける以前に或いは車体への組付後における車両走行時の振動等によって、衝撃吸収ブラケットに僅かな開き方向の変形が生じるのを防止することができる。
【発明の効果】
【００１７】
以上説明したように、請求項１記載の本発明に係る車両用フェンダパネル構造は、フェンダパネルの端部とその取付相手となるエプロンアッパメンバとの距離が長くなる場合においても、フェンダパネルの建て付け剛性の確保と歩行者保護性能の確保とを両立させることができる車両用フェンダパネル取付構造を得ることが目的である。
【００１８】
また、請求項１記載の本発明に係る車両用フェンダパネル取付構造は、低コストで本発明の目的を達成することができるという優れた効果を有する。
【００１９】
請求項２記載の本発明に係る車両用フェンダパネル取付構造は、フェンダパネルのエプロンアッパメンバに対する建て付け精度を向上させることができるという優れた効果を有する。
【発明を実施するための最良の形態】
【００２０】
〔第１実施形態〕
【００２１】
以下、図１〜図８を用いて、本発明に係る車両用フェンダパネル取付構造の第１実施形態について説明する。なお、これらの図において適宜示される矢印ＦＲは車両前方側を示しており、矢印ＵＰは車両上方側を示しており、矢印ＩＮは車両幅方向内側を示している。
【００２２】
図１及び図２には、本実施形態に係る衝撃吸収ブラケットを用いてフロントフェンダパネルをエプロンアッパメンバに取付けた状態が示されている。これらの図に示されるように、車体前部の側面にはフロントフェンダパネル１０が配設されている。フロントフェンダパネル１０は、前輪の上方側を覆い意匠面を構成する外側縦壁部１０Ａと、この外側縦壁部１０Ａの上端部から垂下されてエンジンルーム１２側へ水平に屈曲（延出）された内側縦壁部１０Ｂと、を含んで構成されている。
【００２３】
フロントフェンダパネル１０の内側縦壁部１０Ｂの下方には、エプロンアッパメンバ１４が配設されている。エプロンアッパメンバ１４は、各々断面形状が略Ｌ字状とされたエプロンアッパメンバアウタパネル１５とエプロンアッパメンバインナパネル１７とを上下方向から合わせて、重合された端末フランジ部同士をスポット溶接することにより閉断面構造に構成されている。なお、エプロンアッパメンバ１４は、車両前後方向に沿って延在された長尺状の車体骨格部材である。
【００２４】
さらに、左右一対のフロントフェンダパネル１０の内側縦壁部１０Ｂの上端部間には、エンジンルーム１２を開閉するフード１６が配設されている。フード１６の幅方向両端部の下縁側には弾性材料（ゴム）によって構成された図示しないシール材が配設されており、フロントフェンダパネル１０の内側縦壁部１０Ｂの垂直部１０Ｂ１に弾性変形した状態で圧接されるようになっている。
【００２５】
上述したフロントフェンダパネル１０の内側縦壁部１０Ｂは、車両前後方向に所定の間隔で配置された複数（例えば、前後一対又は前部、中間部、後部の三箇所等）の衝撃吸収ブラケット１８を介してエプロンアッパメンバ１４に取り付けられている。
【００２６】
詳細に説明すると、図１及び図３〜図６に示されるように、衝撃吸収ブラケット１８は、車両側面視で略ハット形状を成しており、エプロンアッパメンバ１４の頂壁部１４Ａと平行に配置された矩形平板状のフェンダ取付部１８Ａと、エプロンアッパメンバ１４の頂壁部１４Ａに面接触状態で載置されてスポット溶接等によって当該頂壁部１４Ａに固定される前後一対の矩形平板状の取付脚部１８Ｂと、フェンダ取付部１８Ａと取付脚部１８Ｂとを略車両上下方向に繋ぐ前後一対の中間支持部１８Ｃと、によって構成されている。さらに、中間支持部１８Ｃは、フェンダ取付部１８Ａの前後端部から所定の傾斜角度で下方へ屈曲されて車両側面視でハの字状に形成された一対の中間支持上部１８Ｃ１と、取付脚部１８Ｂの前後端部から所定の傾斜角度で上方へ屈曲されて逆ハの字状に形成された一対の中間支持下部１８Ｃ２と、によって構成されている。
【００２７】
上記衝撃吸収ブラケット１８のフェンダ取付部１８Ａの中央部にはボルト挿通孔２０が形成されており、更にその裏面側にはウエルドナット２２が予め溶着されている。そして、衝撃吸収ブラケット１８のフェンダ取付部１８Ａの上面に、フロントフェンダパネル１０の内側縦壁部１０Ｂの水平部１０Ｂ２が載置された状態で、ボルト２４が水平部１０Ｂ２の上方側から挿入されて、ウエルドナット２２に螺合されることにより、フロントフェンダパネル１０の内側縦壁部１０Ｂが衝撃吸収ブラケット１８を介してエプロンアッパメンバ１４の頂壁部１４Ａに取り付けられている。なお、必ずしもウエルドナット２２を使用する必要はなく、通常のナットを用いてもよい。
【００２８】
ここで、上述した衝撃吸収ブラケット１８は嵩だかに構成されている。具体的には、図４に示されるように、高さｈが乗員保護性能上要求される必要ストロークであるのに対し、この衝撃吸収ブラケット１８では更にαの高さを有している。従って、衝撃吸収ブラケット１８の全高Ｈは、ｈ＋αとされている。
【００２９】
なお、必要ストロークｈというのは、衝突体２６（図２参照）がフード上方側から衝突してきた場合に、乗員保護性能の観点から変形すべき車両上下方向寸法のことである。また、衝撃吸収ブラケット１８が衝突荷重を受けた場合に車両下方側へ潰れるように変形するモードを確保するために、中間支持上部１８Ｃ１の周長Ｌ１と中間支持下部１８Ｃ２の周長Ｌ２は同一又は略同一に設定されている。
【００３０】
さらに、上述した衝撃吸収ブラケット１８の下部側には、上記嵩上げ分に相当するαを高さとする略三角形状のビード２８が形成されている。ビード２８は中間支持下部１８Ｃ２と取付脚部１８Ｂとに跨って一体に形成されている。従って、ビード２８が形成された分、この部分の剛性が高くなり、衝撃吸収ブラケット１８が荷重入力方向へ畳まれるように変形していくと、ビード２８の上端部２８Ａでその変形が停止される。つまり、ビード２８が形成されたことにより、衝撃吸収ブラケット１８の変形ストロークが本来必要な高さである高さｈに制限される構成である。
【００３１】
次に、本実施形態の作用並びに効果について説明する。
フロントフェンダパネル１０の内側縦壁部１０Ｂが衝撃吸収ブラケット１８を介してエプロンアッパメンバ１４に取り付けられた状態では、衝撃吸収ブラケット１８の中間支持部１８Ｃがフロントフェンダパネル１０の内側縦壁部１０Ｂとフロントエプロンアッパメンバ１４との間の車両上下方向の隙間３０（図１参照）に配置されて、フロントフェンダパネル１０の内側縦壁部１０Ｂがエプロンアッパメンバ１４の頂壁部１４Ａに支持される。この状態で、図２に示されるように、歩行者等の衝突体２６がフロントフェンダパネル１０とフード１６との見切り部３２に上方側から衝突してきくると、その際の衝突荷重Ｆによって中間支持部１８Ｃが荷重作用方向（車両下方側）へ潰れて（畳まれるように変形して）所定のエネルギー吸収を行う。上記により、フロントフェンダパネル１０の建て付け剛性と歩行者保護性能の両方が確保される。
【００３２】
ここで、種々の理由（例えば、フェンダパネルの成形時の金型の制約やプラットホームの共用化といった生産上の理由）から、フロントフェンダパネル１０の内側縦壁部１０Ｂとエプロンアッパメンバ１４の頂壁部１４Ａとの距離Ｌ（図４の衝撃吸収ブラケット１８の全高Ｈと同じである。）が長くなる場合がある。
【００３３】
この場合、本実施形態では、中間支持部１８Ｃの下部側に中間支持部１８Ｃの車両下方側への変形ストロークを高さｈに制限するビード２８を設けたので、嵩だかの衝撃吸収ブラケット１８を用いた場合には、衝突荷重が入力されて中間支持部１８Ｃが潰れ方向に変形したとしても、ビード２８が存在するために予め決められた変形ストロークｈを超えて中間支持部１８Ｃが車両下方側へ変形することはない。換言すれば、ビード２８に起因して、衝突荷重Ｆが作用しても荷重作用方向に殆ど変形しない中間支持部１８Ｃの下部側部分は、衝撃吸収ブラケット１８の建て付け剛性寄与分として残される。従って、必要以上に嵩だかとなった部分についてはフロントフェンダパネル１０の建て付け剛性を上げる作用を有する。また、衝撃吸収のために必要な変形ストロークｈはそのまま確保される。このように本実施形態に係る車両用フェンダパネル取付構造では、衝撃吸収ブラケット１８を嵩だかにせざるを得ない場合においても、フロントフェンダパネル１０の建て付け剛性の確保と歩行者保護性能の確保という二律背反事項を両立させることができる。その結果、本実施形態によれば、フロントフェンダパネル１０の内側縦壁部１０Ｂとその取付相手となるエプロンアッパメンバ１４の頂壁部１４Ａとの距離Ｌが長くなる場合においても、フロントフェンダパネル１０の建て付け剛性の確保と歩行者保護性能の確保とを両立させることができる。
【００３４】
しかも、本実施形態では、衝撃吸収ブラケット１８に、中間支持下部１８Ｃ２と取付脚部１８Ｂとに跨るビード２８を一体に形成する構成を採ったので、部品点数が増加することはなく、又歩留まりも良い。従って、低コストで、フロントフェンダパネル１０の建て付け剛性の確保と歩行者保護性能の確保とを両立させることができる。
【００３５】
（第１実施形態のバリエーション）
【００３６】
（１）上述した本実施形態では、衝撃吸収ブラケット１８の中間支持部１８Ｃと取付脚部１８Ｂとの接続部位に三角形状のビード２８を設けるのみとしたが、これに限らず、図７に示されるように、中間支持下部１８Ｃ２の両側縁の所定位置（ビード２８の上端部２８Ａ又は上端部２８Ａよりも若干上方となる上端部近傍位置を通る車両幅方向に沿う線と当該両側縁とが交差する位置）に、互いに接近する方向へ切れ込む一対の半円形状等の切欠３４を形成してもよい。このようにビード２８の上端部２８Ａ付近の両サイドに一対の切欠３４を設定することにより、衝撃吸収ブラケット１８に上方側から衝突荷重が作用した際の折れ位置を安定的に規定することができるというメリットがある。
【００３７】
（２）また、上述した本実施形態では、ビード２８の大きさ（サイズ）は画一的であったが、これに限らず、図８に示されるように、図１図示のビード２８に替えて、これよりも一回り小さく設定された小型のビード３６を設定するようにしてもよい。このように小型のビード３６が設定された衝撃吸収ブラケット１８を用いることにより、必要ストロークｈを増加させることができる。換言すれば、ビードの高さを任意に変更することにより、衝撃吸収ブラケット１８のエネルギー吸収量のチューニングを容易に行うことができる。
【００３８】
〔第２実施形態〕
【００３９】
次に、図９を用いて、本発明に係る車両用フェンダパネル取付構造の第２実施形態について説明する。なお、前述した第１実施形態と同一構成部分については、同一番号を付してその説明を省略する。
【００４０】
図９に示されるように、この第２実施形態に係る衝撃吸収ブラケット４０では、基本的な形状は前述した第１実施形態で説明した衝撃吸収ブラケット１８と略同様とされている。すなわち、フェンダ取付部４０Ａと、前後一対の取付脚部４０Ｂと、前後一対の中間支持部４０Ｃと、を含んで構成されている。
【００４１】
但し、この衝撃吸収ブラケット４０では、中間支持部４０Ｃが、車両側面視でハの字状に形成されてブラケット上部を構成する中間支持上部４０Ｃ１、車両側面視で逆ハの字状に形成されてブラケット中間部を構成する中間支持中央部４０Ｃ２、再び車両側面視でハの字状に形成されてブラケット下部を構成する中間支持下部４０Ｃ３といった三つの要素によって構成されている。
【００４２】
さらに、前後一対の中間支持下部４０Ｃ３の側面からは、帯板状のフランジ４２、４４がそれぞれ互い接近する方向へ延出されている。各フランジ４２、４４の延出長さは双方の先端部が重合する程度に設定されている。そして、重合した部分４６でスポット溶接（自己打点）されることにより、車体組付時及び車両走行時における前後一対の中間支持部４０Ｃの前後方向の開きを防止している。
【００４３】
また、中間支持下部４０Ｃ３と取付脚部４０Ｂとの接合部位には前述した第１実施形態と同様の三角形状のビード２８が形成されており、更にその上方側には、中間支持上部４０Ｃ１から中間支持下部４０Ｃ３に亘って打抜きによる長孔４８が形成されている。これにより、荷重入力時に潰したい範囲Ｓ１（必要ストロークＬに相当）の変形容易性を確保している。
【００４４】
その一方で、剛性確保のために強化したい範囲Ｓ２には、中間支持下部４０Ｃ３及び取付脚部４０Ｂの片側の側縁（フランジ４２、４４の形成側と反対側の側縁）に折り曲げによる補強フランジ５０が形成されている。
【００４５】
（作用・効果）
【００４６】
上記構成によっても、第１実施形態の衝撃吸収ブラケット１８の構成を基本的には踏襲しているので、第１実施形態と同様の作用・効果が得られる。すなわち、フロントフェンダパネル１０の内側縦壁部１０Ｂとその取付相手となるエプロンアッパメンバ１４の頂壁部１４Ａとの距離Ｌが長くなる場合においても、フロントフェンダパネル１０の建て付け剛性の確保と歩行者保護性能の確保とを両立させることができる。
【００４７】
加えて、本実施形態に係る車両用フェンダパネル取付構造によれば、中間支持下部４０Ｃ３同士がフランジ４２、４４によって相互に連結されているため、衝突荷重が入力されて衝撃吸収ブラケット４０が潰れる際に、ビード２８及び補強フランジ５０による変形抵抗に加えて、フランジ４２、４４による開き方向の変形抵抗が加わる。従って、衝撃吸収ブラケット４０の開き方向の変形が抑制される。従って、フランジ４２、４４の先端部同士を自己打点して離間して配置された中間支持下部４０Ｃ３同士を相互に連結しておくことも、必要ストロークｈを超えた部分での剛性向上に寄与している。
【００４８】
また、フランジ４２、４４によって一対の中間支持下部４０Ｃ３同士を予め連結しておくことで、車体組付時及び車両走行時に衝撃吸収ブラケット４０が開き方向に僅かに変形するのを抑制又は防止することができる。従って、衝撃吸収ブラケット４０の形状保持性能が格段に向上される。その結果、フロントフェンダパネル１０のエプロンアッパメンバ１４に対する建て付け精度を向上させることができる。
【００４９】
なお、上述した第２実施形態では、フランジ４２、４４をスポット溶接で結合したが、これに限らず、リベット等の接合手段を用いてもよい。
【００５０】
〔実施形態の補足説明〕
【００５１】
上述した第１実施形態及び第２実施形態では、剛性確保或いは剛性向上のためにビード２８、３６、補強フランジ５０、フランジ４２、４４を設けたが、これに限らず、他の構成を用いてもよい。
【図面の簡単な説明】
【００５２】
【図１】第１実施形態に係る車両用フェンダパネル取付構造の全体構成を示す組付状態の斜視図である。
【図２】第１実施形態に係る車両用フェンダパネル取付構造の全体構成を車両幅方向に沿って切断した状態で示す縦断面図である。
【図３】図１に示される衝撃吸収ブラケットの単体の斜視図である。
【図４】図３に示される衝撃吸収ブラケットの正面図である。
【図５】変形後の衝撃吸収ブラケットの単体の斜視図である。
【図６】図５に示される衝撃吸収ブラケットの正面図である。
【図７】折れ線を明確にした別の実施形態を示す図３に対応する衝撃吸収ブラケットの斜視図である。
【図８】ビードの大きさを変えた別の実施形態を示す図３に対応する衝撃吸収ブラケットの斜視図である。
【図９】第２実施形態に係る車両用フェンダパネル取付構造の要部である衝撃吸収ブラケットの単体の斜視図である。
【符号の説明】
【００５３】
１０      フロントフェンダパネル
１０Ｂ    内側縦壁部（フェンダパネルの内側の端部）
１４      エプロンアッパメンバ
１８      衝撃吸収ブラケット
１８Ａ    フェンダ取付部
１８Ｂ    取付脚部
１８Ｃ    中間支持部
２６      衝突体
２８      ビード
３６      ビード
４０      衝撃吸収ブラケット
４０Ａ    フェンダ取付部
４０Ｂ    取付脚部
４０Ｃ    中間支持部
４２      フランジ
４４      フランジ
５０      補強フランジ
【図１】
0004781171.tif 000002
【図２】
0004781171.tif 000003
【図３】
0004781171.tif 000004
【図４】
0004781171.tif 000005
【図５】
0004781171.tif 000006
【図６】
0004781171.tif 000007
【図７】
0004781171.tif 000008
【図８】
0004781171.tif 000009
【図９】
0004781171.tif 000010